(57)【特許請求の範囲】
【請求項１】
天井等の開口（Ｏ）を臨む面に吸入開口（２３ａ、１２３ａ）及び吹出開口（２３ｂ、１２３ｂ）が形成されるとともに前記吸入開口と前記吹出開口とを連通する空気流路（２８、１２８）と前記空気流路内に配置される熱交換器（２５、１２５）とを有する空気調和装置本体（２、１０２）に、前記開口に対向するように化粧パネル（３、１０３）を装着することで構成される空気調和装置であって、
前記化粧パネルが装着されていない状態の前記空気調和装置本体の前記吸入開口及び前記吹出開口が形成された面に装着されて前記開口の位置決めをする前記据付用型紙とは別に、前記化粧パネルが装着されていない状態の前記空気調和装置本体の前記空気流路内に通気性を有しない保護シート（６、７、１０６）を設けたことを特徴とする、
空気調和装置（１、１０１）。
【請求項２】
前記保護シート（６、７、１０６）は、前記空気流路（２８、１２８）内に設けられた状態において、前記熱交換器（２５、１２５）の吸入開口側に配置されている、請求項１に記載の空気調和装置（１、１０１）。
【請求項３】
前記保護シート（６、７、１０６）は、前記熱交換器（２５、１２５）に沿って配置されている、請求項１又は２に記載の空気調和装置（１、１０１）。
【請求項４】
前記保護シート（６、７、１０６）には、前記化粧パネル（３、１０３）を前記空気調和装置本体（２、１０２）に装着する作業を行う際に取り外す旨の内容の勧告文（６ａ、７ａ、１０６ａ）が付されている、請求項１〜３のいずれかに記載の空気調和装置（１、１０１）。
【請求項５】
前記保護シート（６、７、１０６）の一部は、前記空気流路（２８、１２８）内に設けられた状態において、前記空気調和装置本体（２、１０２）の前記化粧パネル（３、１０３）が装着される部分まで延びている、請求項１〜４のいずれかに記載の空気調和装置（１、１０１）。
【請求項６】
前記化粧パネル（３、１０３）が前記空気調和装置本体（２、１０２）に装着されていない状態において、運転不能にすることを特徴とする、請求項１〜５のいずれかに記載の空気調和装置（１、１０１）。
【請求項７】
天井等の開口（Ｏ）を臨む面に吸入開口（２３ａ、１２３ａ）及び吹出開口（２３ｂ、１２３ｂ）が形成されるとともに前記吸入開口と前記吹出開口とを連通する空気流路（２８、１２８）と前記空気流路内に配置される熱交換器とを有する空気調和装置本体（２、１０２）と、前記開口に対向するように前記空気調和装置本体に装着される化粧パネル（３、１０３）と、を備えた空気調和装置の据え付けのために、前記空気調和装置本体に装着される空気調和装置の据付装置であって、
前記空気調和装置本体の前記吸入開口及び前記吹出開口が形成された面に装着されて前記開口の位置決めをする据付用型紙（５、１０５）と、
前記空気流路内に設けられる通気性を有しない保護シート（６、７、１０６）と、
を備えた空気調和装置の据付装置。
【発明の詳細な説明】
【技術分野】
【０００１】
本発明は、空気調和装置の据付装置及び空気調和装置、特に、天井等の開口を臨むように設置される空気調和装置本体と、開口に対向するように空気調和装置本体に装着される化粧パネルと、を備えた空気調和装置の据え付けのために、空気調和装置本体に装着される空気調和装置の据付装置及び空気調和装置に関する。
【背景技術】
【０００２】
従来より、天井等の開口を臨むように設置される空気調和装置本体と、開口に対向するように空気調和装置本体に装着される化粧パネルとを備えた空気調和装置がある。次に、天井埋込型の空気調和装置を例にして、このような空気調和装置の据付作業について説明する。
【０００３】
まず、設備業者が、吊ボルトを用いて天井裏空間に空気調和装置本体を吊り下げ、その後、冷媒配管やドレン配管の接続をする。次に、天井を施工する際に形成される開口の位置決めをするために、空気調和装置本体の下面に据付用型紙を装着する。次に、建設業者が、天井を施工するとともに据付用型紙に合わせて天井に開口を形成する。また、天井の施工の後、建設業者や内装業者等によって、壁や床等が施工される。そして、設備業者が、据付用型紙を空気調和装置本体から取り外し、その後、化粧パネルを空気調和装置本体に装着することで空気調和装置の据付作業が完了する。
【０００４】
このような空気調和装置の据付作業においては、据付用型紙を空気調和装置本体の下面に装着した後化粧パネルを取り付けるまでの間に、建設業者や内装業者による種々の施工作業中に飛散する粉塵等が空気調和装置本体内に侵入し、熱交換器に粉塵等が付着する等によって、空気調和装置の品質が低下するという問題が生じている。
【０００５】
これに対して、特許文献１のように、据付用型紙を空気調和装置本体に装着する際に、ビニール製の保護シートを空気調和装置本体の吹出開口を覆うように貼り付けるようにしたり、また、特許文献２のように、据付用型紙で空気調和装置本体の通気口を覆うようにネジ止めにより装着している。
【特許文献１】特開平１１−１０１４９９号公報
【特許文献２】特開２００３−１２０９９５号公報
【発明の開示】
【発明が解決しようとする課題】
【０００６】
しかし、特許文献１では、保護シートを据付用型紙とは別に空気調和装置本体に貼り付ける必要があるために手間がかかり、また、保護シートの貼り付け作業に両面テープを使用しているために保護シートの貼り付け不良等の施工ミスが生じやすく、さらに、保護シートがビニール製であるために貼り付け後に破損するおそれがある。
【０００７】
また、特許文献２では、特許文献１のような保護シートの貼り付け作業が必要なことに起因する問題は生じないが、粉塵等が据付用型紙と空気調和装置本体の下面との隙間から侵入を確実に防ぐことができないおそれがある。
【０００８】
さらに、据付用型紙は、天井に開口を形成するために必要な部材であるため、天井に開口を形成した後に建設業者や内装業者によって取り外されてしまう場合があり、この場合には、空気調和装置本体内への粉塵等の侵入を防ぐことができない。
【０００９】
このように、従来の据付用型紙では、据付用型紙を空気調和装置本体に装着した後化粧パネルを取り付けるまでの間に、建設業者や内装業者による種々の施工作業中に飛散する粉塵等が空気調和装置本体内に侵入し、熱交換器に粉塵等が付着する等によって、空気調和装置の品質が低下するおそれがあり、また、天井に開口を形成した後に建設業者や内装業者によって取り外されてしまう場合があるため、空気調和装置本体に装着した後の養生性が十分でない。
【００１０】
本発明の課題は、天井等の開口を臨むように設置される空気調和装置本体と、開口に対向するように空気調和装置本体に装着される化粧パネルと、を備えた空気調和装置の据え付けのために、空気調和装置本体に装着される空気調和装置の据付装置及び空気調和装置において、空気調和装置本体の養生性を向上させることにある。
【課題を解決するための手段】
【００１１】
第１の発明にかかる空気調和装置は、天井等の開口を臨む面に吸入開口及び吹出開口が形成されるとともに吸入開口と吹出開口とを連通する空気流路と空気流路内に配置される熱交換器とを有する空気調和装置本体に、開口に対向するように化粧パネルを装着することで構成される空気調和装置であって、化粧パネルが装着されていない状態の空気調和装置本体の吸入開口及び吹出開口が形成された面に装着されて開口の位置決めをする据付用型紙とは別に、化粧パネルが装着されていない状態の空気調和装置本体の空気流路内に通気性を有しない集塵シートを設けたことを特徴とする。
【００１２】
この空気調和装置では、保護シートが空気調和装置本体の空気流路内に設けられているため、熱交換器の近傍に空気の流れが生じなくなり、これにより、空気調和装置の据え付け作業の際に、据付用型紙と空気調和装置本体との隙間が空いている場合や据付用型紙が取り外された場合であっても、空気流路内に配置された熱交換器に粉塵等が付着するおそれが少なくなり、空気調和装置本体の養生性を向上させることができる。
【００１３】
第２の発明にかかる空気調和装置は、第１の発明にかかる空気調和装置において、保護シートは、空気流路内に設けられた状態において、熱交換器の吸入開口側に配置されている。
【００１４】
この空気調和装置では、運転時において、空気が吸入開口から吹出開口に向かってスムーズに流れるように空気流路が形成されているため、空気調和装置の据え付け作業の際に、据付用型紙と空気調和装置本体との隙間が空いている場合や据付用型紙が取り外された場合には、吸入開口から粉塵等を含む空気が流入しやすい傾向にあるが、保護シートが熱交換器の吸入開口側に設けられているため、熱交換器への粉塵等の付着を効果的に抑えることができる。
【００１５】
第３の発明にかかる空気調和装置は、第１又は第２の発明にかかる空気調和装置において、保護シートは、熱交換器に沿って配置されている。
【００１６】
この空気調和装置では、保護シートが熱交換器に沿って配置されているため、熱交換器への粉塵等の付着を確実に抑えることができる。
【００１７】
第４の発明にかかる空気調和装置は、第１〜第３の発明のいずれかにかかる空気調和装置において、保護シートには、化粧パネルを空気調和装置本体に装着する作業を行う際に取り外す旨の内容の勧告文が付されている。
【００１８】
この空気調和装置では、保護シートに化粧パネルを空気調和装置本体に装着する作業を行う際に取り外す旨の内容の勧告文が付されているため、建設業者や内装業者が、据付用型紙を取り外した際に、誤って保護シートも取り外してしまうおそれを少なくすることができる。
【００１９】
第５の発明にかかる空気調和装置は、第１〜第４の発明のいずれかにかかる空気調和装置において、保護シートの一部は、空気流路内に設けられた状態において、空気調和装置本体の化粧パネルが装着される部分まで延びている。
【００２０】
この空気調和装置では、保護シートの一部が空気流路内に設けられた状態において空気調和装置本体の化粧パネルが装着される部分まで延びているため、据付用型紙を取り外して化粧パネルを装着する際に、保護シートの取り外し忘れを生じにくくすることができる。
【００２１】
第６の発明にかかる空気調和装置は、第１〜第５の発明のいずれかにかかる空気調和装置において、化粧パネルが前記空気調和装置本体に装着されていない状態において、運転不能にすることを特徴とする。
【００２２】
保護シートは、養生性を確保するために、化粧パネルを装着する作業を行うまで空気調和装置本体から取り外されないようにすべきであるが、天井等に開口を形成した後に据付用型紙とともに取り外されてしまうおそれは否定できない。しかも、保護シートを取り外した後において、その後の種々の施工作業中の作業環境の温度調節やベークアウトする等のために、建設業者や内装業者が化粧パネルを装着しないままで、空気調和装置本体の空調運転を行うと、熱交換器に粉塵等が付着する等によって空気調和装置の品質が低下するおそれがある。
【００２３】
そこで、この空気調和装置では、保護シートが取り外され、しかも、建設業者や内装業者が化粧パネルを装着しないままで、空気調和装置本体を運転しようとしても、空気調和装置本体を運転することができないようにするために、例えば、センサ等の電装品の一部を化粧パネルに装着しておき、化粧パネルを空気調和装置本体に装着するとともに、この電装品の配線を空気調和装置本体に接続するまで電装品接続異常状態と判定して運転不能にする等のように、化粧パネルが空気調和装置本体に装着されるまで運転不能にするようにしている。これにより、保護シートが取り外され、しかも、化粧パネルを装着しないままで、空気調和装置本体を運転しようとする場合であっても、空気調和装置本体のみで空調運転が行われることがないため、熱交換器に粉塵等が付着しにくくなり、空気調和装置本体の養生性を確保することができる。
【００２４】
第７の発明にかかる空気調和装置の据付装置は、天井等の開口を臨む面に吸入開口及び吹出開口が形成されるとともに吸入開口と吹出開口とを連通する空気流路と空気流路内に配置される熱交換器とを有する空気調和装置本体と、開口に対向するように空気調和装置本体に装着される化粧パネルと、を備えた空気調和装置の据え付けのために、空気調和装置本体に装着される空気調和装置の据付装置であって、空気調和装置本体の吸入開口及び吹出開口が形成された面に装着されて開口の位置決めをする据付用型紙と、空気流路内に設けられる通気性を有しない保護シートとを備えている。
【００２５】
この空気調和装置の据付装置では、保護シートが空気調和装置本体の空気流路内に設けられているため、熱交換器の近傍に空気の流れが生じなくなり、これにより、空気調和装置の据え付け作業の際に、据付用型紙と空気調和装置本体との隙間が空いている場合や据付用型紙が取り外された場合であっても、空気流路内に配置された熱交換器に粉塵等が付着するおそれが少なくなり、空気調和装置本体の養生性を向上させることができる。
【発明の効果】
【００２６】
以上の説明に述べたように、本発明によれば、以下の効果が得られる。
【００２７】
第１の発明では、空気流路内に配置された熱交換器に粉塵等が付着するおそれが少なくなり、空気調和装置本体の養生性を向上させることができる。
【００２８】
第２の発明では、熱交換器への粉塵等の付着を効果的に抑えることができる。
【００２９】
第３の発明では、熱交換器への粉塵等の付着を確実に抑えることができる。
【００３０】
第４の発明では、建設業者や内装業者が、据付用型紙を取り外した際に、誤って保護シートも取り外してしまうおそれを少なくすることができる。
【００３１】
第５の発明では、据付用型紙を取り外して化粧パネルを装着する際に、集塵シートの取り外し忘れを生じにくくすることができる。
【００３２】
第６の発明では、保護シートが取り外され、しかも、化粧パネルを装着しないままで、空気調和装置本体を運転しようとする場合であっても、空気調和装置本体のみで空調運転が行われることがないため、熱交換器に粉塵等が付着しにくくなり、空気調和装置本体の養生性を確保することができる。
【００３３】
第７の発明では、空気流路内に配置された熱交換器に粉塵等が付着するおそれが少なくなり、空気調和装置本体の養生性を向上させることができる。
【発明を実施するための最良の形態】
【００３４】
以下、図面に基づいて、本発明にかかる空気調和装置の据付装置及び空気調和装置の実施形態について説明する。
【００３５】
（１）空気調和装置の構成
図１は、本発明の一実施形態にかかる空気調和装置の据付装置を用いて据え付けられた空気調和装置１の外観斜視図である。本実施形態の空気調和装置１は、天井埋込型の形態で設置される、いわゆる、天井埋込型空気調和装置であり、主として、天井Ｕ（図２参照）の開口Ｏ（図２参照）を臨むように天井裏空間Ｓ（図２参照）に配置される空気調和装置本体２と、開口Ｏに対向するように空気調和装置本体２に装着される化粧パネル３とを備えている。ここで、空気調和装置本体２は、複数本（ここでは、４本）の吊ボルト１１を用いて天井裏空間Ｓに吊り下げられている。また、空気調和装置本体２の一側面には、冷媒配管１２、１３やドレン配管１４が突出するように設けられている。
【００３６】
次に、図１〜図４を用いて、空気調和装置１の構造について説明する。ここで、図２は、空気調和装置１の概略断面図であって、図３のＡ−Ａ断面に相当する図である。図３は、空気調和装置１を化粧パネル３側から見た概略平面図である。図４は、空気調和装置本体２を下方から見た概略平面図である。
【００３７】
空気調和装置本体２は、主として、内部に各種構成機器を収納するケーシング２１を備えている。ケーシング２１は、主として、略直方体形状でありかつ下面が開口した箱状のケーシング本体２２と、ケーシング本体２２の下面の開口を覆うようにケーシング本体２２に装着されたドレンパン２３とを有している。ドレンパン２３は、主として、ケーシング２１の下面を構成し、その平面視において、ケーシング本体２２の天面と同様の形状を有する板状部材である。
【００３８】
ドレンパン２３には、吸入開口２３ａと吹出開口２３ｂとが形成されている。吸入開口２３ａは、ケーシング２１の平面視において、ケーシング短辺方向の略中央付近からケーシング短辺方向一端付近までの部分が略長方形形状に切り欠かれるように形成された開口である。吹出開口２３ｂは、ケーシング２１の平面視において、吸入開口２３ａが形成された側とは反対側のケーシング短辺方向他端付近の部分が略長方形形状に切り欠かれるように形成された開口である。ここで、ケーシング長辺方向とは、ケーシング２１の平面視における長手方向をいう。また、ケーシング短辺方向とは、ケーシング２１の平面視における長手方向に直交する方向をいう。このように、本実施形態においては、ドレンパン２３に吸入開口２３ａ及び吹出開口２３ｂが形成されることで、ケーシング２１の下面には、ケーシング長辺方向に沿って吸入開口２３ａとケーシング２１の側面とによって囲まれた略長方形状の孔と、吹出開口２３ｂとケーシング２１の側面とによって囲まれた略長方形状の孔とが形成されている。
【００３９】
ケーシング２１内には、送風ファン２４が配置されている、送風ファン２４は、本実施形態において、回転軸線がケーシング長辺方向に沿って延びるように配置されたクロスフローファンである。送風ファン２４は、送風ファンの回転軸線方向一端側に配置されたファンモータ４１によって回転駆動されるようになっている。
【００４０】
また、ケーシング２１内には、熱交換器２５が配置されている。熱交換器２５は、本実施形態において、送風ファン２４の略下側の位置から送風ファン２４から遠ざかるように斜め上方に延びる熱交換器パネルである。そして、ドレンパン２３の熱交換器２５の下端部の下側には、ドレン受け溝２３ｃが形成されている。また、熱交換器２５の上下方向中間部の下側には、ドレン受け板２６が配置されている。
【００４１】
化粧パネル３は、平面視において、ケーシング本体２２やドレンパン２３の天面よりも大きな略長方形状の部材であり、ケーシング２１の吸入開口２３ａに連通する吸入口３１と、ケーシング２１の吹出開口２３ｂに連通する吹出口３２とが形成されている。吸入口３１は、吸入開口２３ａに上下方向に対向するように、かつ、化粧パネル３の一長辺に沿うように配置された略長方形状の孔である。吹出口３２は、吹出開口２３ｂに上下方向に対向するように、かつ、吸入口３１が沿う長辺とは反対側の長辺に沿うように配置された略長方形状の孔である。吸入口３１には、吸入口３１を覆うように吸入グリル３３が装着されている。また、吸入口３１の吸入グリル３３の上側には、フィルタ３４が配置されている。また、化粧パネル３は、空気調和装置本体２にネジ止めによって装着されている。より具体的には、ケーシング２１の平面視において、空気調和装置本体２の下面の４つの角部には、それぞれ本体側ネジ孔２７が形成されており、化粧パネル３には、各本体側ネジ孔２７に対向する位置にパネル側ネジ孔３５が形成されており、これらのネジ孔２７、３５の位置で装着用ネジ３６によって装着されている。
【００４２】
このように、ケーシング２１内には、吸入開口２３ａから吹出開口２３ｂに至る空気流路２８が形成されており、この空気流路２８内に送風ファン２４及び熱交換器２５が配置されている。この空気流路２８は、吸入開口２３ａから熱交換器２５に至るまでの流路部分である吸入空気流路２８ａと、熱交換器２５から送風ファン２４を介して吹出開口２３ｂに至るまでの流路部分である吹出空気流路２８ｂとから構成されている。
【００４３】
また、空気調和装置１には、本実施形態において、熱交換器２５における冷媒の温度を検出する熱交温度センサ４２と、吸入口３１から流入する室内空気の温度を検出する室内温度センサ４３とが設けられている。本実施形態において、熱交温度センサ４２及び室内温度センサ４３は、サーミスタからなる。また、空気調和装置１には、空気調和装置１を構成する各部の動作を制御する制御部として機能する電装品ユニット４４を備えている。電装品ユニット４４は、空気調和装置１の制御を行うために設けられたマイクロコンピュータやメモリ等が実装された制御基板を有しており、図１〜４では図示していないが、空気調和装置本体２に設けられている。また、この電装品ユニット４４には、図５に示されるように、センサ４２、４３やファンモータ４１の配線が接続されており、空気調和装置１を操作するためのリモコン等との間で制御信号等のやりとりを行うとともに、リモコンからの指令やセンサ４２、４３の検出信号に基づいて、ファンモータ４１等の制御を行うことができるようになっている。ここで、図５は、空気調和装置１の制御ブロック図である。
【００４４】
以上のような構成を有する本実施形態の空気調和装置１において、送風ファン２４の運転を行うと、まず、室内空気は、化粧パネル３の吸入口３１（具体的には、吸入グリル３３及びフィルタ３４）を通じて、吸入開口２３ａから吸入空気流路２８ａに吸入される。次に、吸入空気流路２８ａに吸入された空気は、熱交換器２５を通過して熱交換器２５内を流れる冷媒との間で熱交換が行われる。そして、熱交換器２５を通過して吹出空気流路２８ｂに流入した空気は、送風ファン２４によって昇圧された後、吹出開口２３ｂ及び吹出口３２を通じて吹出空気流路２８ｂから室内に吹き出される。
【００４５】
（２）空気調和装置の据付装置の構成
上述の構成を有する空気調和装置１の据え付けのために、空気調和装置の据付装置としての据付用型紙５及び保護シート６を空気調和装置本体２に装着する。以下、この据付用型紙５及び保護シート６の構成について、図６〜図８を用いて説明する。ここで、図６は、据付用型紙５の平面図である。図７は、保護シート６が設けられた空気調和装置本体２の概略断面図である。図８は、保護シート６が設けられた空気調和装置本体２を下方から見た概略平面図である。
【００４６】
据付用型紙５は、天井Ｕを施工する際に形成される開口Ｏの位置決めをするために、空気調和装置本体２の下面に装着される部材である。据付用型紙５は、主として、段ボール材等からなる一枚の平板部材であり、その外形寸法が天井Ｕの開口Ｏの寸法と一致している。据付用型紙５は、空気調和装置本体２の下面に形成された吸入開口２３ａ及び吹出開口２３ｂを塞ぐことができるようになっている。そして、据付用型紙５の表面には、開口Ｏの位置表示部５ａや空気調和装置本体２の外形線を示す位置表示部５ｂ等が印刷により付されている。また、据付用型紙５には、空気調和装置本体２に据付用型紙５を装着する際に使用される装着用ネジ孔としての型紙側ネジ孔５ｃが形成されている。型紙側ネジ孔５ｃは、空気調和装置本体２の下面に形成された４つの本体側ネジ孔２７のそれぞれに対向する位置に配置されている。これにより、据付用型紙５は、化粧パネル３を空気調和装置本体２の下面に装着する際に使用される装着用ネジ３６を用いて空気調和装置本体２にネジ止めによって装着できるようになっている。
【００４７】
保護シート６は、空気調和装置本体２の空気流路２８内に設けられる通気性を有しないシート部材であり、例えば、段ボール材からなる。保護シート６は、空気流路２８内に設けられた状態において、熱交換器２５の吸入開口２３ａ側に、かつ、熱交換器２５に沿って配置されている。さらに、保護シート６には、化粧パネル３を空気調和装置本体２に装着する作業を行う際に取り外す旨の内容の勧告文６ａが付されており、この勧告文６ａは、保護シート６が空気流路２８内に設けられた状態において、吸入開口２３ａから見えるように配置されている。尚、保護シート６は、図７及び図８に示されるような状態で、空気調和装置１の出荷時から空気調和装置本体２内に設けられているか、又は、空気調和装置本体２の据え付け作業時に施工場所において空気調和装置本体２内に設けられる。
【００４８】
（３）空気調和装置の据付作業
次に、上述の据付用型紙５及び保護シート６から構成される空気調和装置の据付装置を用いた空気調和装置１の据付作業について、図７〜図１０を用いて説明する。ここで、図９は、据付用型紙５を空気調和装置本体２に装着する様子を示す外観斜視図である。図１０は、据付用型紙５を装着した状態における空気調和装置本体２の概略断面図である。
【００４９】
まず、設備業者が、図９に示されるように、吊ボルト１１を用いて天井裏空間Ｓに空気調和装置本体２を吊り下げ、その後、冷媒配管１２、１３やドレン配管１４の接続をする。
【００５０】
ここで、空気調和装置１の出荷時から空気調和装置本体２内に保護シート６が図７及び図８に示される状態で設けられている場合には、次の作業に移るが、空気調和装置１の出荷時において空気調和装置本体２内に保護シート６が設けられていない場合には、空気調和装置本体２の吊り下げ前又は吊り下げ後に、図７及び図８に示される状態になるように保護シート６を設ける作業を行う。このため、空気調和装置１の据え付け作業の工数を減らし、かつ、保護シート６を設け忘れるのを防ぐという観点では、空気調和装置１の出荷時から空気調和装置本体２内に保護シート６を設けておくことが望ましい。
【００５１】
次に、天井Ｕを施工する際に形成される開口Ｏの位置決めをするために、図９及び図１０に示されるように、空気調和装置本体２の下面に据付用型紙５を装着する。この際、据付用型紙５は、空気調和装置本体２への装着部分としての型紙側ネジ孔５ｃの位置において、装着用ネジ３６を用いてネジ止めによって装着される。これにより、空気調和装置本体２は、空気流路２８内に保護シート６が設けられた状態で、かつ、下面が据付用型紙５によって覆われた状態となる。
【００５２】
次に、建設業者が、天井Ｕを施工するとともに据付用型紙５（具体的には、位置表示部５ａ）に合わせて天井Ｕに開口Ｏを形成する。また、天井Ｕの施工の後、建設業者や内装業者等によって、壁や床等が施工される。
【００５３】
ここで、建設業者や内装業者による種々の施工作業中に粉塵等が飛散するため、据付用型紙５と空気調和装置本体２との隙間が空いている場合や、上述の天井Ｕに開口Ｏを形成した後に据付用型紙５が取り外された場合には、吸入開口２３ａや吹出開口２３ｂを通じて空気調和装置本体２の空気流路２８内に粉塵等を含む空気が侵入する。しかし、本実施形態では、空気調和装置の据付装置としての保護シート６が空気調和装置本体２の空気流路２８内に設けられているため、熱交換器２５の近傍に空気の流れが生じなくなっている。これにより、空気流路２８内に配置された熱交換器２５に粉塵等が付着するおそれが少なくなり、空気調和装置本体２の養生性を向上させることができるようになっている。
【００５４】
また、空気調和装置本体２の空気流路２８は、通常の空調運転時において、空気が吸入開口２３ａから吹出開口２３ｂに向かってスムーズに流れるように形成されているため、粉塵等を含む空気は、吸入開口２３ａから流入しやすい傾向にあるが、保護シート６が熱交換器２５の吸入開口２３ａ側に設けられているため、熱交換器２５への粉塵等の付着を効果的に抑えることができるようになっている。また、保護シート６は、熱交換器２５に沿って配置されているため、熱交換器２５への粉塵等の付着を確実に抑えることができるようになっている。
【００５５】
また、建設業者や内装業者が、上述の天井Ｕに開口Ｏを形成した後に据付用型紙５を取り外す際に、保護シート６も誤って取り外そうとすることも想定されるが、保護シート６には、化粧パネル３を空気調和装置本体２に装着する作業を行う際に取り外す旨の内容の勧告文６ａが付されているため、建設業者や内装業者が、誤って保護シート６も取り外してしまうおそれを少なくすることができるようになっている。
【００５６】
そして、最後に、設備業者が、装着用ネジ３６を緩めて据付用型紙５を空気調和装置本体２から取り外し、さらに、保護シート６を空気調和装置本体２の空気流路２８内から取り外す。その後、化粧パネル３を空気調和装置本体２に装着用ネジ３６を用いてネジ止めによって装着する（図１〜図４参照）。これにより、空気調和装置１の据付作業が完了する。
【００５７】
（４）変形例１
上述の実施形態の保護シート６は、空気調和装置本体２の空気流路２８内に設けられた状態において、熱交換器２５の下端から上端に向かって延びるように配置されているが、例えば、図１１及び図１２に示されるように、保護シート６の一部が、空気流路２８内に設けられた状態において、熱交換器２５の下端から上端まで延びた後に、さらに、空気調和装置本体２の下端付近（より具体的には、化粧パネル３が装着される部分である本体側ネジ孔２７付近）まで延びるようにしてもよい。ここで、図１１は、本変形例にかかる保護シート６が設けられた空気調和装置本体２の概略断面図である。図１２は、本変形例にかかる保護シート６が設けられた空気調和装置本体２を下方から見た概略平面図である。
【００５８】
このように、保護シート６の一部が、空気流路２８内に設けられた状態において、空気調和装置本体２の化粧パネル３が装着される部分まで延びるようにすることによって、据付用型紙５を取り外して化粧パネル３を装着する際に、保護シート６の取り外し忘れを生じにくくすることができる。
【００５９】
（５）変形例２
上述の実施形態及び変形例１では、空気流路２８内の熱交換器２５の吸入開口２３ａ側にのみ保護シート６を設けるようにしているが、図１３及び図１４に示されるように、空気流路２８内の熱交換器２５の吸入開口２３ａ側だけでなく、吹出開口２３ｂ側にも、保護シート７を設けるようにして、空気調和装置本体２の養生性をさらに向上させるようにしてもよい。この保護シート７についても、保護シート６と同様に、その一部が空気流路２８内に設けられた状態において、空気調和装置本体２の下端付近（より具体的には、化粧パネル３が装着される部分である本体側ネジ孔２７付近）まで延びており、化粧パネル３を空気調和装置本体２に装着する作業を行う際に取り外す旨の内容の勧告文７ａが吹出開口２３ｂから見えるように付されている。ここで、図１３は、本変形例にかかる保護シート６、７が設けられた空気調和装置本体２の概略断面図である。図１４は、本変形例にかかる保護シート６、７が設けられた空気調和装置本体２を下方から見た概略平面図である。
【００６０】
（６）変形例３
上述の実施形態及び変形例１、２では、天井Ｕに開口Ｏを形成した後に据付用型紙５が取り外されてしまうことは想定しているが、据付用型紙５を取り外す際に、保護シート６が取り外されることは想定していない。しかし、万が一、据付用型紙５や保護シート６が取り外されてしまい、しかも、据付用型紙５及び保護シート６を取り外した後において、その後の種々の施工作業中の作業環境の温度調節やベークアウトする等のために、建設業者や内装業者が化粧パネル３を装着しないままで、空気調和装置本体２の空調運転を行うと、熱交換器２５に粉塵等が付着する等によって空気調和装置１の品質が低下するおそれがある。
【００６１】
そこで、本変形例では、据付用型紙５及び保護シート６が取り外され、しかも、建設業者や内装業者が化粧パネル３を装着しないままで、空気調和装置本体２を運転しようとしても、空気調和装置本体２を運転することができないようにするために、電装品の一部としての室内温度センサ４３を化粧パネル３に装着しておき、化粧パネル３を空気調和装置本体２に装着するとともに、室内温度センサ４３の配線を空気調和装置本体２（具体的には、電装品ユニット４４）に接続するまで電装品接続異常状態と判定して、空気調和装置１の運転（具体的には、送風ファン２４）不能にする処理（以下、空調運転防止処理とする）を行うようにしている。
【００６２】
これにより、空気調和装置１の据え付け作業において、据付用型紙５及び保護シート６が取り外され、しかも、化粧パネル３を装着しないままで、空気調和装置本体２を運転しようとする場合であっても、空気調和装置本体２のみで空調運転が行われることがないため、熱交換器２５に粉塵等が付着しにくくなり、空気調和装置本体２の養生性を確保することができるようになっている。
【００６３】
（７）他の実施形態
以上、本発明の実施形態及びその変形例について図面に基づいて説明したが、具体的な構成は、これらの実施形態及びその変形例に限られるものではなく、発明の要旨を逸脱しない範囲で変更可能である。
【００６４】
（Ａ）
上述の実施形態及びその変形例においては、空気調和装置本体２の下面に吸入開口２３ａ及び吹出開口２３ｂが１つずつ（すなわち、化粧パネル３に吸入口３１及び吹出口３２が１つずつ）形成された形態の天井埋込型の空気調和装置１に本発明を適用した例を説明したが、これに限定されず、例えば、図１５〜図１７に示されるように、空気調和装置本体１０２の下面に２つの吹出開口１２３ｂ（すなわち、化粧パネル１０３に２つの吹出口１３２）形成された形態の天井埋込型の空気調和装置１０１に本発明を適用してもよい。ここで、図１５は、空気調和装置１０１の概略断面図であって、図１６のＣ−Ｃ断面に相当する図である。図１６は、空気調和装置１０１を化粧パネル１０３側から見た概略平面図である。図１７は、空気調和装置本体１０２を下方から見た概略平面図である。
【００６５】
空気調和装置１０１は、上述の空気調和装置１と同様、天井埋込型空気調和装置であり、主として、天井Ｕの開口Ｏを臨むように天井裏空間Ｓ（図１５参照）に配置される空気調和装置本体１０２と、開口Ｏに対向するように空気調和装置本体１０２に装着される化粧パネル１０３とを備えている。ここで、空気調和装置本体１０２は、空気調和装置１と同様、複数本の吊ボルト（図示せず）を用いて天井裏空間Ｓに吊り下げられている。また、空気調和装置本体１０２の一側面には、冷媒配管やドレン配管（図示せず）が突出するように設けられている。
【００６６】
空気調和装置本体１０２は、主として、内部に各種構成機器を収納するケーシング１２１を備えている。ケーシング１２１は、主として、略直方体形状でありかつ下面が開口した箱状のケーシング本体１２２と、ケーシング本体１２２の下面の開口を覆うようにケーシング本体１２２に装着されたドレンパン１２３とを有している。ドレンパン１２３は、主として、ケーシング１２１の下面を構成し、その平面視において、ケーシング本体１２２の天面と同様の形状を有する板状部材である。
【００６７】
ドレンパン１２３には、吸入開口１２３ａと２つの吹出開口１２３ｂとを仕切るように形成されている。吸入開口１２３ａは、ケーシング１２１の平面視略中央の部分が略長方形形状に切り欠かれるように形成された開口である。吹出開口１２３ｂは、ケーシング１２１の平面視において、吸入開口１２３ａのケーシング短辺方向両側の部分が略長方形形状に切り欠かれるように形成された開口である。このように、本実施形態においては、ドレンパン１２３に吸入開口１２３ａ及び吹出開口１２３ｂが形成されることで、ケーシング１２１の下面には、略中央に吸入開口１２３ａからなる略長方形状の孔と、各吹出開口１２３ｂとケーシング１２１の側面とによって囲まれた略長方形状の孔とが形成されている。
【００６８】
ケーシング１２１内には、２つの送風ファン１２４が配置されている、送風ファン１２４は、本実施形態において、回転軸線がケーシング長辺方向に沿って延びるように配置されたクロスフローファンである。各送風ファン１２４は、送風ファンの回転軸線方向一端側に配置されたファンモータ１４１によってそれぞれ回転駆動されるようになっている。
【００６９】
また、ケーシング１２１内には、２つの熱交換器１２５が配置されている。各熱交換器１２５は、本実施形態において、各送風ファン１２４の略下側の位置から斜め上方に延びる熱交換器パネルであり、各上端部がケーシング１２１短辺方向の略中央において近接しており、逆Ｖ字状に配置されている。そして、ドレンパン１２３の各熱交換器１２５の下端部の下側には、ドレン受け溝１２３ｃが形成されている。
【００７０】
化粧パネル１０３は、平面視において、ケーシング本体１２２やドレンパン１２３の天面よりも大きな略長方形状の部材であり、ケーシング１２１の吸入開口１２３ａに連通する吸入口１３１と、ケーシング１２１の各吹出開口１２３ｂに連通する２つの吹出口１３２とが形成されている。吸入口１３１は、吸入開口１２３ａに上下方向に対向するように略中央に配置された略長方形状の孔である。各吹出口１３２は、吹出開口１２３ｂに上下方向に対向するように配置された略長方形状の孔である。吸入口１３１には、吸入口１３１を覆うように吸入グリル１３３が装着されている。また、吸入口１３１の吸入グリル１３３の上側には、フィルタ１３４が配置されている。また、化粧パネル１０３は、空気調和装置本体１０２にネジ止めによって装着されている。より具体的には、ケーシング１２１の平面視において、空気調和装置本体１０２の下面の４つの角部には、それぞれ本体側ネジ孔１２７が形成されており、化粧パネル１０３には、各本体側ネジ孔１２７に対向する位置にパネル側ネジ孔１３５が形成されており、これらのネジ孔１２７、１３５の位置で装着用ネジ１３６によって装着されている。
【００７１】
このように、ケーシング１２１内には、吸入開口１２３ａから２つの吹出開口１２３ｂに至る空気流路１２８が形成されており、この空気流路１２８内に送風ファン１２４及び熱交換器１２５が配置されている。この空気流路１２８は、吸入開口１２３ａから熱交換器１２５に至るまでの流路部分である吸入空気流路１２８ａと、各熱交換器１２５から送風ファン１２４を介して各吹出開口１２３ｂに至るまでの流路部分である２つの吹出空気流路１２８ｂとから構成されている。
【００７２】
また、空気調和装置１０１には、本実施形態において、熱交換器１２５における冷媒の温度を検出する熱交温度センサ１４２と、吸入口１３１から流入する室内空気の温度を検出する室内温度センサ１４３とが設けられている。本実施形態において、熱交温度センサ１４２及び室内温度センサ１４３は、サーミスタからなる。また、空気調和装置１０１には、空気調和装置１０１を構成する各部の動作を制御する制御部として機能する電装品ユニット１４４を備えている。電装品ユニット１４４は、空気調和装置１０１の制御を行うために設けられたマイクロコンピュータやメモリ等が実装された制御基板を有しており、図１５〜１７では図示していないが、空気調和装置本体１０２に設けられている。また、この電装品ユニット１４４には、図５に示されるように、センサ１４２、１４３やファンモータ１４１の配線が接続されており、空気調和装置１０１を操作するためのリモコン等との間で制御信号等のやりとりを行うとともに、リモコンからの指令やセンサ１４２、１４３の検出信号に基づいて、ファンモータ１４１等の制御を行うことができるようになっている。
【００７３】
以上のような構成を有する本実施形態の空気調和装置１０１において、送風ファン１２４の運転を行うと、まず、室内空気は、化粧パネル１０３の吸入口１３１（具体的には、吸入グリル１３３及びフィルタ１３４）を通じて、吸入開口１２３ａから吸入空気流路１２８ａに吸入される。次に、吸入空気流路１２８ａに吸入された空気は、熱交換器１２５を通過して熱交換器１２５内を流れる冷媒との間で熱交換が行われる。そして、熱交換器１２５を通過して各吹出空気流路１２８ｂに流入した空気は、送風ファン１２４によって昇圧された後、各吹出開口１２３ｂ及び吹出口１３２を通じて各吹出空気流路１２８ｂから室内に吹き出される。
【００７４】
上述の構成を有する空気調和装置１０１の据え付けのために、空気調和装置の据付装置としての据付用型紙１０５及び保護シート１０６を空気調和装置本体１０２に装着する。
以下、この据付用型紙１０５及び保護シート１０６の構成について、図１８〜図２０を用いて説明する。ここで、図１８は、据付用型紙１０５の平面図である。図１９は、保護シート１０６が設けられた空気調和装置本体１０２の概略断面図である。図２０は、保護シート１０６が設けられた空気調和装置本体１０２を下方から見た概略平面図である。
【００７５】
据付用型紙１０５は、天井Ｕを施工する際に形成される開口Ｏの位置決めをするために、空気調和装置本体１０２の下面に装着される部材である。据付用型紙１０５は、主として、段ボール材等からなる一枚の平板部材であり、その外形寸法が天井Ｕの開口Ｏの寸法と一致している。据付用型紙１０５は、空気調和装置本体１０２の下面に形成された吸入開口１２３ａ及び吹出開口１２３ｂを塞ぐことができるようになっている。そして、据付用型紙１０５の表面には、開口Ｏの位置表示部１０５ａや空気調和装置本体１０２の外形線を示す位置表示部１０５ｂ等が印刷により付されている。また、据付用型紙１０５には、空気調和装置本体１０２に据付用型紙５を装着する際に使用される装着用ネジ孔としての型紙側ネジ孔１０５ｃが形成されている。型紙側ネジ孔１０５ｃは、空気調和装置本体１０２の下面に形成された４つの本体側ネジ孔１２７のそれぞれに対向する位置に配置されている。これにより、据付用型紙１０５は、化粧パネル１０３を空気調和装置本体１０２の下面に装着する際に使用される装着用ネジ１３６を用いて空気調和装置本体１０２にネジ止めによって装着できるようになっている。
【００７６】
保護シート１０６は、空気調和装置本体１０２の空気流路１２８内に設けられる通気性を有しないシート部材であり、例えば、段ボール材からなる。保護シート１０６は、空気流路１２８内に設けられた状態において、熱交換器１２５の吸入開口１２３ａ側に、かつ、熱交換器１２５に沿って逆Ｖ字状に配置されている。さらに、保護シート１０６には、化粧パネル１０３を空気調和装置本体１０２に装着する作業を行う際に取り外す旨の内容の勧告文１０６ａが付されており、この勧告文１０６ａは、保護シート１０６が空気流路１２８内に設けられた状態において、吸入開口１２３ａから見えるように配置されている。尚、保護シート１０６は、図１９及び図２０に示されるような状態で、空気調和装置１０１の出荷時から空気調和装置本体１０２内に設けられているか、又は、空気調和装置本体１０２の据え付け作業時に施工場所において空気調和装置本体１０２内に設けられる。
【００７７】
以上のような構成を有する本実施形態の空気調和装置１０１は、上述の据付用型紙５及び保護シート６からなる空気調和装置の据付装置を用いた空気調和装置１の据付作業と同様、据付用型紙１０５及び保護シート１０６からなる空気調和装置の据付装置を用いて据付作業を行うことができる。尚、据付用型紙１０５及び保護シート１０６を用いた空気調和装置１０１の据付作業は、上述の据付用型紙５及び保護シート６を用いた空気調和装置１の据付作業の説明とほぼ同じであるため、ここでは、説明を省略する。
【００７８】
また、本実施形態の保護シート１０６においても、上述の変形例１の保護シート６と同様、ここでは図示しないが、保護シート１０６の一部が、空気流路１２８内に設けられた状態において、熱交換器１２５の下端から上端まで延びた後に、さらに、空気調和装置本体１０２の下端付近（より具体的には、化粧パネル１０３が装着される部分である本体側ネジ孔１２７付近）まで延びるようにしてもよい。
【００７９】
また、本実施形態においても、上述の変形例２と同様、空気流路２８内の熱交換器２５の吸入開口２３ａ側だけでなく、吹出開口２３ｂ側にも、保護シートを設けるようにして、空気調和装置本体１０２の養生性をさらに向上させるようにしてもよい。
【００８０】
また、本実施形態においても、上述の変形例３と同様、据付用型紙１０５及び保護シート１０６が取り外され、しかも、建設業者や内装業者が化粧パネル１０３を装着しないままで、空気調和装置本体１０２を運転しようとしても、空気調和装置本体１０２を運転することができないようにするために、電装品の一部としての室内温度センサ１４３を化粧パネル１０３に装着しておき、化粧パネル１０３を空気調和装置本体１０２に装着するとともに、室内温度センサ１４３の配線を空気調和装置本体１０２（具体的には、電装品ユニット１４４）に接続するまで電装品接続異常状態と判定して、空気調和装置１０１の運転（具体的には、送風ファン１２４）不能にする処理（以下、空調運転防止処理とする）を行うようにしてもよい。
【００８１】
（Ｂ）
上述の実施形態及びその変形例においては、天井埋込型の空気調和装置１、１０１に本発明を適用した例を説明したが、天井埋込型に限定されず、壁埋込型の空気調和装置のように、施工作業中に飛散する粉塵等に対する対策が必要な、天井や壁等の開口を臨むように設置される空気調和装置本体と、開口に対向するように空気調和装置本体に装着される化粧パネルとを備えた他の型式の空気調和装置にも適用可能である。
【産業上の利用可能性】
【００８２】
本発明を利用すれば、天井等の開口を臨むように設置される空気調和装置本体と、開口に対向するように空気調和装置本体に装着される化粧パネルと、を備えた空気調和装置の据え付けのために、空気調和装置本体に装着される空気調和装置の据付装置及び空気調和装置において、空気調和装置本体の養生性を向上させることができる。
【図面の簡単な説明】
【００８３】
【図１】本発明の一実施形態にかかる据付用型紙を用いて据え付けられた空気調和装置の外観斜視図である。
【図２】空気調和装置の概略断面図であって、図３のＡ−Ａ断面に相当する図である。
【図３】空気調和装置を化粧パネル側から見た概略平面図である。
【図４】空気調和装置本体を下方から見た概略平面図である。
【図５】空気調和装置の制御ブロック図である。
【図６】据付用型紙の平面図である。
【図７】保護シートが設けられた空気調和装置本体の概略断面図である。
【図８】保護シートが設けられた空気調和装置本体を下方から見た概略平面図である。
【図９】据付用型紙を空気調和装置本体に装着する様子を示す外観斜視図である。
【図１０】据付用型紙を装着した状態における空気調和装置本体の概略断面図である。
【図１１】変形例１にかかる保護シートが設けられた空気調和装置本体の概略断面図である。
【図１２】変形例１にかかる保護シートが設けられた空気調和装置本体を下方から見た概略平面図である。
【図１３】変形例２にかかる保護シートが設けられた空気調和装置本体の概略断面図である。
【図１４】変形例２にかかる保護シートが設けられた空気調和装置本体を下方から見た概略平面図である。
【図１５】他の実施形態にかかる空気調和装置の概略断面図であって、図１６のＣ−Ｃ断面に相当する図である。
【図１６】他の実施形態にかかる空気調和装置を化粧パネル側から見た概略平面図である。
【図１７】他の実施形態にかかる空気調和装置本体を下方から見た概略平面図である。
【図１８】他の実施形態にかかる据付用型紙の平面図である。
【図１９】他の実施形態にかかる保護シートが設けられた空気調和装置本体の概略断面図である。
【図２０】他の実施形態にかかる保護シートが設けられた空気調和装置本体を下方から見た概略平面図である。
【符号の説明】
【００８４】
１、１０１  空気調和装置
２、１０２  空気調和装置本体
３、１０３  化粧パネル
５、１０５  据付用型紙
６、７、１０６  保護シート
６ａ、７ａ、１０６ａ  勧告文
２３ａ、１２３ａ  吸入開口
２３ｂ、１２３ｂ  吹出開口
２５、１２５  熱交換器
２８、１２８  空気流路
Ｏ  開口
【図１】
0004609371.tif 000002
【図２】
0004609371.tif 000003
【図３】
0004609371.tif 000004
【図４】
0004609371.tif 000005
【図５】
0004609371.tif 000006
【図６】
0004609371.tif 000007
【図７】
0004609371.tif 000008
【図８】
0004609371.tif 000009
【図９】
0004609371.tif 000010
【図１０】
0004609371.tif 000011
【図１１】
0004609371.tif 000012
【図１２】
0004609371.tif 000013
【図１３】
0004609371.tif 000014
【図１４】
0004609371.tif 000015
【図１５】
0004609371.tif 000016
【図１６】
0004609371.tif 000017
【図１７】
0004609371.tif 000018
【図１８】
0004609371.tif 000019
【図１９】
0004609371.tif 000020
【図２０】
0004609371.tif 000021